(57)【要約】【課題】機械式や電子式の電力量計と関連電気機器をシステム化して取り付ける際に、着脱作業を容易に、作業性良く、接続ミスなく行う。【解決手段】ベース１と、ベースに取り付けられる接続端子盤２と、接続端子盤に接続される電力量計４、通信装置５、開閉装置６又は接続バー７、無停電バイパス装置８を覆うカバー３とを有し、接続端子盤は、電力量計の端子構造に合わせた電力量計用の棒状接続端子１０と、通信装置、開閉装置又は接続バー、無停電バイパス装置の各用の接続端子と、電源側電線１４が接続される電源側端子部１２及び負荷側電線１５が接続される負荷側端子部１３と、棒状接続端子、接続端子、電源側端子部、負荷側端子部が接続する電源用導体及び負荷用導体とを備える。【選択図】図１
2010181297.tif 000002
【特許請求の範囲】
【請求項１】
ベースと、該ベースに取り付けられる接続端子盤と、該接続端子盤に接続される電力量計、通信装置、開閉装置又は接続バー、無停電バイパス装置を覆うカバーとを有し、
前記接続端子盤は、電力量計の端子構造に合わせた電力量計用の棒状接続端子と、通信装置、開閉装置又は接続バー、無停電バイパス装置の各用の接続端子と、電源側電線が接続される電源側端子部及び負荷側電線が接続される負荷側端子部と、前記棒状接続端子、接続端子、電源側端子部、負荷側端子部が接続する電源用導体及び負荷用導体とを備えることを特徴とする多機能端子付き計器ボックス。
【請求項２】
前記接続端子盤は、該接続端子盤に接続されている前記電力量計、前記通信装置、前記開閉装置又は接続バー、前記無停電バイパス装置への回路を切り離す回路切り離し装置のための切り離し接点を備えたことを特徴とする請求項１に記載の多機能端子付き計器ボックス。
【発明の詳細な説明】
【技術分野】
【０００１】
本発明は、電力量計と関連する各種の電気機器とをシステム化して収める多機能端子付き計器ボックスに関するものである。
【背景技術】
【０００２】
電力会社によっては、電力量計を計器ボックスに収めて使用する。
【０００３】
電力量計の他に電力量計と関連する通信装置や開閉装置を計器ボックスに収めたい場合には、電力会社は形状の大きな計器ボックスを使用する。
【０００４】
また、電力量計と通信装置、開閉装置などとをユニット化するユニット型電力量計が、従来、特開２００６−１７０７８７号公報（特許文献１）により提案されている。
【０００５】
これは、ユニット接合部の表面に複数のユニット区画が設けられ、これらのユニット区画に電力量計ユニット、通信端局ユニット、開閉装置ユニットなどが装着されるものである。
【先行技術文献】
【特許文献】
【０００６】
【特許文献１】特開２００６−１７０７８７号公報
【発明の概要】
【発明が解決しようとする課題】
【０００７】
従来使用されている計器ボックス内には、電力量計、通信装置または開閉装置の接続端子は特にない。このため、各種装置の形状や設置位置に自由度はあるが、配線は作業性が悪く、繁雑である。例えば、電力量計に通信装置を接続する場合、電源の配線は共締めを行う場合がある。共締めは、電力量計の端子部の電線挿入穴に、電気を供給する電線と共に通信装置の電源線も挿入し、一緒にねじ締めする。
【０００８】
また、特許文献１に関しては、電力量計ユニットの端子の形状や配列は、現行の電力量計の端子の形状や配列とは異なるために、現行の電力量計、特に機械式（誘導型）の電力量計には対応できない。さらに、回路切り離し装置のための切り離し接点やその設置スペースは配慮されていない。
【０００９】
（本発明の目的）
本発明の目的は、機械式や電子式の電力量計と関連電気機器をシステム化して取り付ける際に、着脱作業を容易に、作業性良く、接続ミスなく行うことができる多機能端子付き計器ボックスを提供することである。
【課題を解決するための手段】
【００１０】
上記目的を達成するために、本発明の多機能端子付き計器ボックスは、ベースと、該ベースに取り付けられる接続端子盤と、該接続端子盤に接続される電力量計、通信装置、開閉装置または接続バー、無停電バイパス装置を覆うカバーとを有し、前記接続端子盤が、電力量計の端子構造に合わせた電力量計用の棒状接続端子と、通信装置、開閉装置又は接続バー、無停電バイパス装置の各用の接続端子と、電源側電線が接続される電源側端子部及び負荷側電線が接続される負荷側端子部と、前記棒状接続端子、接続端子、電源側端子部、負荷側端子部が接続する電源用導体及び負荷用導体とを備えることを特徴とするものである。
【発明の効果】
【００１１】
本発明によれば、機械式や電子式の電力量計と関連電気機器をシステム化して取り付ける際に、着脱作業を容易に、作業性良く、接続ミスなく行うことができる。
【図面の簡単な説明】
【００１２】
【図１】本発明の実施例である単相３線式の電力量計などを収める多機能端子付き計器ボックスの全体の構成を示す斜視図である。
【図２】本発明の実施例に係る接続端子盤の棒状接続端子及び電力量計設置スペースを示す斜視図である。
【図３】図２の棒状接続端子を拡大して示す斜視図である。
【図４】接続端子盤に設けられた導体、接続端子、電源側端子部、負荷側端子部の電気的接続を示す回路図である。
【図５】接続端子盤に電力量計及び接続バーが接続された場合の電気的接続を示す回路図である。
【図６】接続端子盤に電力量計、通信装置及び接続バーが接続された場合の電気的接続を示す斜視図である。
【図７】接続端子盤に電力量計及び開閉装置が接続された場合の電気的接続を示す回路図である。
【図８】接続端子盤に無停電バイパス装置及び回路切り離し装置が接続された状態で、新旧の電力量計の交換、もしくは接続バーと開閉装置の取換を行う場合の電気的接続を示す回路図である。
【発明を実施するための形態】
【００１３】
本発明を実施するための形態は後述する実施例に記載の通りである。
【実施例】
【００１４】
図１は、本発明の実施例である単相３線式の電力量計などを収める多機能端子付き計器ボックス（以下単に計器ボックスという）の全体の構成を示す。
【００１５】
計器ボックスは、ベース１と、ベース１に取り付けられる接続端子盤２と、カバー３とからなる。カバー３は、接続端子盤２に接続される電力量計４、通信装置５、開閉装置６または接続バー７、無停電バイパス装置８、回路切り離し装置９を覆い、保護する。ベース１とカバー３が電力会社により封印され、電力量計４及び関連電気機器が電力会社の管理下となる。電力量計４は、機械式（誘導型）であっても、電子式であってもよい。
【００１６】
図２及び図３に示されるように、接続端子盤２の最上部には、現行の電力量計４の端子構造に合った電力量計用の棒状接続端子１０が設けられる。現行の電力量計４の端子構造とは、電力量計４の電源側端子部４ａが左側に、負荷側端子部４ｂが右側に、横一列に並んで配置され、下方に開口する電線挿入穴を有する端子金具と、電線挿入穴に挿入された棒状端子又は電線を端子金具に締め付ける端子ねじとを有するものである。
【００１７】
電力量計４は図２の１１で示される電力量計設置スペースに設置される。その際、電力量計４の端子部４ａ，４ｂの電線挿入穴に棒状接続端子１０が挿入され、端子ねじが締め付けられることによって電力量計４が機械的及び電気的に接続端子盤２に接続される。
【００１８】
図１に示されるように、通信装置５が設置される通信装置設置スペースは、電力量計設置スペース１１の下方かつ左側に設けられる。接続バー７又は開閉装置６が設置される開閉装置設置スペースは、通信装置設置スペースの横方向に並んで、電力量計設置スペース１１の下方かつ右側に設けられる。開閉器設置スペースは、接続バー設置スペースを兼用する。回路切り離し装置９が設置される回路切り離し装置設置スペースは、通信装置設置スペース及び開閉装置設置スペースの下方に設けられる。無停電バイパス装置８が設置される無停電バイパス装置設置スペースは、回路切り離し装置設置スペースの下方に設けられる。
【００１９】
接続端子盤２の最下部には電源側端子部１２と負荷側端子部１３が設けられる。電源側端子部１２の電線挿入穴に電源側電線１４が挿入されて、端子ねじにより締め付けられる。同様に、負荷側端子部１３の電線挿入穴に負荷側電線１５が挿入されて、端子ねじにより締め付けられる。
【００２０】
通信装置５は、通信機能を必要とする場合に設置される。例えば、電力量計４の検針値をホスト側に送信し、自動検針を行う場合に設置される。また、通信装置５を開閉装置６と接続し、開閉装置６の制御をホスト側から行う。なお、電力量計４と通信装置５との間の通信は、図示していないが、有線や無線（赤外線通信など）にて行われる。
【００２１】
開閉装置６は、負荷の停止及び停止解除を行うものである。
【００２２】
接続バー７は、開閉機能を必要としない場合に設置される。
【００２３】
無停電バイパス装置８は、無停電で、電力量計４を交換する時、又は開閉装置６と接続バー７を取り換える時に、電源側端子部１２と負荷側端子部１３を短絡するものである。
【００２４】
回路切り離し装置９は、着脱作業の安全のため、電力量計４の棒状接続端子１０、通信装置５、開閉装置６又は接続バー７の各用の接続端子を無通電状態にしたい場合に設置される。
【００２５】
図４は、接続端子盤２に設けられた導体、接続端子、切り離し接点及び電源側端子部１２、負荷側端子部１３の電気的接続を示す。接続端子盤２の内部には、電源側端子部１２（１Ｓ端子−３Ｓ端子）から上方へ棒状接続端子１０に向かって延びる電源用導体１６が設けられる。また、負荷側端子部１３（１Ｌ端子−３Ｌ端子）から上方へ棒状接続端子１０に向かって延びる負荷用導体１７が設けられる。開閉装置設置スペースでは負荷側導体１７は中断されている。
【００２６】
電源側端子部１２から電力量計４及び通信装置５に電源を供給するための電源用導体１６には、電力量計用の棒状接続端子１０（電源側）及び通信装置用の接続端子１８が設けられる。通信装置用の接続端子１８は例えばねじ固定端子である。
【００２７】
電力量計４を接続バー７又は開閉装置６を経て負荷側端子部１３に接続するための負荷用導体１７には、電力量計用の棒状接続端子１０（負荷側）、開閉装置又は接続バー用の接続端子１９ａ，１９ｂが設けられる。開閉装置又は接続バー用の接続端子１９ａ，１９ｂは例えばねじ固定端子である。接続端子１９ａ，１９ｂの間の負荷用導体１７は切り離されている。
【００２８】
電源用導体１６と負荷用導体１７には、無停電バイパス装置用の接続端子２０及び回路切り離し装置用の切り離し接点２１が設けられる。無停電バイパス装置用の接続端子２０は挿入により接触接続するタイプのものである。回路切り離し装置用の切り離し接点２１は電源側導体１６、負荷側導体１７の途中に挿入されている。回路切り離し装置用の切り離し接点２１は、回路切り離し装置９が設置されていない状態では、図４に示されるように電源用導体１６及び負荷用導体１７を導通状態にし、回路切り離し装置９が設置されている状態では、図８に示されるように電源用導体１６及び負荷用導体１７を遮断状態にするものである。
【００２９】
（接続端子盤２に電力量計４及び接続バー７が接続された場合）
この場合の電気的接続図を図５に示す。電力量計４の内部では、棒状接続端子１０の電源側と負荷側をそれぞれ接続する。点線部分の内部回路２２は、ここに流れる電流と端子間の電圧から電力量を演算し、表示するものである。接続バー７は開閉装置又は接続バー用の接続端子１９ａ，１９ｂを短絡する。
【００３０】
（接続端子盤２に電力量計４、通信装置５及び接続バー７が接続された場合）
この場合の電気的接続図を図６に示す。通信装置５は通信装置用の接続端子１８により電力量計４と並列に接続される。このため、通信装置５は無停電バイパス装置８を使用しなくても無停電で着脱可能である。図６は、通信装置５の電源が１側（１Ｓ，２Ｓ間）から供給される例を示す。
【００３１】
開閉装置６の開閉状態にかかわらず、電力量計４と通信装置５に電源を供給したいため、電力量計４と通信装置５は開閉装置６よりも電源側に接続される。開閉装置６が開状態であっても電力量計４と通信装置５は停電状態にならないので、電力量計４は内蔵電池の負担を軽減することができ、通信装置５は通信することができる。
【００３２】
（接続端子盤２に電力量計４及び開閉装置６が接続された場合）
この場合の電気的接続図を図７に示す。開閉装置６は、開閉装置又は接続バー用の接続端子１９ａ，１９ｂの間に接続される。図７は、１側（１Ｓ−１Ｌ）と３側（３Ｓ−３Ｌ）が開閉される例を示す。
【００３３】
（接続端子盤２に無停電バイパス装置８及び回路切り離し装置９が接続された状態で、新旧の電力量計４の交換、もしくは接続バー７と開閉装置６の取換を行う場合）
この場合の電気的接続図を図８に示す。無停電バイパス装置８を装着して、電源側端子部１２と負荷側端子部１３とを直接接続する（１Ｓ−１Ｌ，２Ｓ−２Ｌ、３Ｓ−３Ｌ間を直接接続する）。また、回路切り離し装置９を装着して、切り離し接点２１を遮断状態にする。この状態で旧の電力量計４を新の電力量計４’に交換する。あるいはこの状態で接続バー７と開閉装置６との取換を行う。
【００３４】
無停電バイパス装置８の装着により電源側端子部１２と負荷側端子部１３が短絡されるので、交換や取換中にも負荷が停電することはない。また、回路切り離し装置９の装着により電力量計４、通信装置５、開閉装置６、接続バー７は無通電状態になるので、安全に着脱作業を行うことができる。
【００３５】
以上説明したように、接続端子盤２に電力量計４の棒状接続端子１０、通信装置５、開閉装置６、接続バー７、無停電バイパス装置８の各用の接続端子１８，１９ａ，１９ｂ，２０、回路切り離し装置９のための切り離し接点２１とそれぞれの設置スペースを設けたので、これらの着脱作業を容易に行うことができる。また、これらをはめ込み式で位置決めができるため、作業性が良く、接続ミスを防止することができる。
【００３６】
さらに、回路切り離し装置９の使用により着脱作業を安全に行うことができる。
【００３７】
なお、本発明は、単相３線式のみならず、単相２線式、三相３線式、三相４線式などにも適用することができる。
【符号の説明】
【００３８】
１              ベース
２              接続端子盤
３              カバー
４              電力量計
５              通信装置
６              開閉装置
７              接続バー
８              無停電バイパス装置
９              回路切り離し装置
１０            棒状接続端子
１１            電力量計設置スペース
１２            電源側端子部
１３            負荷側端子部
１４            電源側電線
１５            負荷側電線
１６            電源用導体
１７            負荷用導体
１８            接続端子
１９ａ，１９ｂ  接続端子
２０            接続端子
２１            切り離し接点
【図１】
2010181297.tif 000003
【図２】
2010181297.tif 000004
【図３】
2010181297.tif 000005
【図４】
2010181297.tif 000006
【図５】
2010181297.tif 000007
【図６】
2010181297.tif 000008
【図７】
2010181297.tif 000009
【図８】
2010181297.tif 000010